(57)【要約】      （修正有）【課題】充電と同時に携帯電話のメモリ内容のバックアップやデータ転送が簡単な操作で行え、その他のデータの携帯電話への転送やデータの複製が可能であり、データの持ち運びが容易で、それらが小型で安価な装置によって行える携帯電話の充電アダプタ接続用データ転送装置の提供。【解決手段】携帯電話の充電アダプタ４と携帯電話６との間に介在して、携帯電話６で使用される各種データを読み書きする機能を備えたデータ転送装置であって、脱着式記憶媒体に対し、データの読み出し及び書き込みを行う脱着式記憶媒体制御手段と、携帯電話６に指示を与えるコマンドを送信すると共に、携帯電話６との間でデータの送受信を行う通信制御手段と、前記脱着式記憶媒体制御手段によって脱着式記憶媒体から読み出しあるいは前記通信制御手段によって携帯電話６から読み出したデータを、脱着式記憶媒体あるいは携帯電話６に書き込む処理を行うデータ処理手段とを具備する。【選択図】          図１
2005057311.tif 000002
【特許請求の範囲】
【請求項１】
携帯電話の充電アダプタと携帯電話との間に介在して、携帯電話で使用される各種データを読み書きする機能を備えたデータ転送装置であって、
充電アダプタのコネクタに直接または仲介コネクタを介して接続可能な第一の接続コネクタと、
携帯電話のコネクタに直接または仲介コネクタを介して接続可能な第二の接続コネクタと、
脱着式記憶媒体を脱着することが可能な脱着式記憶媒体スロットと、
前記脱着式記憶媒体スロットに装着された脱着式記憶媒体に対し、データの読み出し及び書き込みを行う脱着式記憶媒体制御手段と、
前記第二の接続コネクタを介して携帯電話と通信し、携帯電話に指示を与えるコマンドを送信すると共に、携帯電話との間でデータの送受信を行う通信制御手段と、
前記脱着式記憶媒体制御手段によって脱着式記憶媒体から読み出しあるいは前記通信制御手段によって携帯電話から読み出したデータを、脱着式記憶媒体制御手段によって脱着式記憶媒体に書き込みあるいは通信制御手段によって携帯電話に書き込ませる処理を行うデータ処理手段と、
充電アダプタから前記第一の接続コネクタを介して供給される電力を前記脱着式記憶媒体スロット及び前記脱着式記憶媒体制御手段及び前記通信制御手段及び前記データ処理手段の駆動電源として適した電圧に変換して供すると共に、前記第二の接続コネクタを介して携帯電話に充電用電源を供する電源制御手段とを具備することを特徴とする携帯電話の充電アダプタ接続用データ転送装置。
【請求項２】
不揮発性メモリと、
該不揮発性メモリに対し、データの読み出し及び書き込みを行う不揮発性メモリ制御手段とを具備し、
前記データ処理手段は、前記不揮発性メモリ制御手段及び前記脱着式記憶媒体制御手段及び前記通信制御手段によって不揮発性メモリ及び脱着式記憶媒体及び携帯電話から読み出したデータを、不揮発性メモリ制御手段及び脱着式記憶媒体制御手段及び通信制御手段によって不揮発性メモリ及び脱着式記憶媒体及び携帯電話に書き込むことが可能であることを特徴とする請求項１記載の携帯電話の充電アダプタ接続用データ転送装置。
【請求項３】
内部記憶装置を有し、
前記データ処理手段は、前記脱着式記憶媒体制御手段及び前記通信制御手段によって脱着式記憶媒体及び携帯電話から読み出したデータを前記内部記憶装置にテンポラリデータとして一時保存した後、該テンポラリデータを脱着式記憶媒体制御手段及び通信制御手段によって脱着式記憶媒体及び携帯電話に書き込むことが可能であることを特徴とする請求項１または２記載の携帯電話の充電アダプタ接続用データ転送装置。
【請求項４】
内部記憶装置を有し、
前記データ処理手段は、前記不揮発性メモリ制御手段及び前記脱着式記憶媒体制御手段及び前記通信制御手段によって不揮発性メモリ及び脱着式記憶媒体及び携帯電話から読み出したデータを前記内部記憶装置にテンポラリデータとして一時保存した後、該テンポラリデータを不揮発性メモリ制御手段及び脱着式記憶媒体制御手段及び通信制御手段によって不揮発性メモリ及び脱着式記憶媒体及び携帯電話に書き込むことが可能であることを特徴とする請求項２記載の携帯電話の充電アダプタ接続用データ転送装置。
【請求項５】
前記データ処理手段は、前記通信制御手段を用いて前記テンポラリデータを携帯電話のディスプレイに表示させることが可能であることを特徴とする請求項３または４記載の携帯電話の充電アダプタ接続用データ転送装置。
【請求項６】
ディスプレイと、
該ディスプレイにデータを表示する表示手段とを有し、
前記データ処理手段は、該表示手段を用いて前記テンポラリデータを前記ディスプレイに表示させることが可能であることを特徴とする請求項３、４または５記載の携帯電話の充電アダプタ接続用データ転送装置。
【請求項７】
前記通信制御手段は、携帯電話のキー入力によって入力されたキー入力情報を読み出すことが可能であり、
前記データ処理手段は、該キー入力情報に基づいて前記テンポラリデータを編集することが可能であることを特徴とする請求項３、４、５または６記載の携帯電話の充電アダプタ接続用データ転送装置。
【請求項８】
文字情報または数値情報または編集情報を入力可能なキーボタンを有し、
前記データ処理手段は、該キーボタンからの入力に基づいて前記テンポラリデータを編集することが可能であることを特徴とする請求項３、４、５、６または７記載の携帯電話の充電アダプタ接続用データ転送装置。
【請求項９】
前記第一の接続コネクタは、充電アダプタの形状の異なる複数種類のコネクタに共通に接続可能な形状をなしていることを特徴とする請求項１、２、３、４、５、６、７または８記載の携帯電話の充電アダプタ接続用データ転送装置。
【請求項１０】
前記第二の接続コネクタは、携帯電話の形状の異なる複数種類のコネクタに共通に接続可能な形状をなしていることを特徴とする請求項１、２、３、４、５、６、７、８または９記載の携帯電話の充電アダプタ接続用データ転送装置。
【請求項１１】
前記電源制御手段は、複数の異なる入力電圧に対応可能であることを特徴とする請求項１、２、３、４、５、６、７、８、９または１０記載の携帯電話の充電アダプタ接続用データ転送装置。
【請求項１２】
前記電源制御手段は、充電用電圧の異なる複数の携帯電話に対し、それぞれに対応する電圧を出力することが可能であることを特徴とする請求項１、２、３、４、５、６、７、８、９、１０または１１記載の携帯電話の充電アダプタ接続用データ転送装置。
【発明の詳細な説明】
【０００１】
【発明の属する技術分野】
本発明は、携帯電話の充電アダプタ接続用データ転送及びデータバックアップ装置に関するものである。
【０００２】
【従来の技術】
充電と同時に携帯電話に記憶されているデータをバックアップする従来の装置の一例としては、特開２０００−３２４２３７号が挙げられる。これは、携帯電話を充電する際に、データバックアップ機能付充電器本体およびデータバックアップ装置本体の中のメモリにバックアップデータを保存するものである。
【０００３】
また、携帯電話に記憶されているデータを読み書きする手段としては、パソコンやＰＤＡ等に接続する方法などが行われている。
【０００４】
【発明が解決しようとする課題】
しかしながら、上記特開２０００−３２４２３７号の装置は、携帯電話のメモリ内のデータを保存したり読み出したりはできるが、その他のデータを携帯電話にダウンロードすることはできない。また、データの持ち運びが不便である。さらに、バックアップ内容を複製できないといった課題がある。
【０００５】
一方、携帯電話をパソコンやＰＤＡ等の機器に接続することによれば、携帯電話へのデータ転送、外部記憶媒体への保存等によるデータの持ち運び、バックアップデータの複製等を行うことができる。しかし、その取り扱いは煩わしく、特にパソコン等の取り扱いに不慣れな者にとっては、操作を行えないこともある。また、携帯電話へのデータ転送や携帯電話のデータのバックアップのみを行いたい携帯電話ユーザーにとって、パソコンやＰＤＡ機器は大きすぎて持ち運びに不便であり、また高価なためコストパフォーマンスの面で劣るといった課題がある。
【０００６】
本発明は上記課題を解決すべくなされ、その目的とするところは、充電と同時に携帯電話のメモリ内容のバックアップやデータ転送が簡単な操作で行え、なおかつその他のデータの携帯電話への転送やデータの複製が可能であり、データの持ち運びが容易で、それらが小型で安価な装置によって行える携帯電話の充電アダプタ接続用データ転送装置を提供することにある。
【０００７】
【課題を解決するための手段】
本発明は、上記課題を解決するために、以下の構成を備える。すなわち、携帯電話の充電アダプタと携帯電話との間に介在して、携帯電話で使用される各種データを読み書きする機能を備えたデータ転送装置であって、充電アダプタのコネクタに直接または仲介コネクタを介して接続可能な第一の接続コネクタと、携帯電話のコネクタに直接または仲介コネクタを介して接続可能な第二の接続コネクタと、脱着式記憶媒体を脱着することが可能な脱着式記憶媒体スロットと、前記脱着式記憶媒体スロットに装着された脱着式記憶媒体に対し、データの読み出し及び書き込みを行う脱着式記憶媒体制御手段と、前記第二の接続コネクタを介して携帯電話と通信し、携帯電話に指示を与えるコマンドを送信すると共に、携帯電話との間でデータの送受信を行う通信制御手段と、前記脱着式記憶媒体制御手段によって脱着式記憶媒体から読み出しあるいは前記通信制御手段によって携帯電話から読み出したデータを、脱着式記憶媒体制御手段によって脱着式記憶媒体に書き込みあるいは通信制御手段によって携帯電話に書き込ませる処理を行うデータ処理手段と、充電アダプタから前記第一の接続コネクタを介して供給される電力を前記脱着式記憶媒体スロット及び前記脱着式記憶媒体制御手段及び前記通信制御手段及び前記データ処理手段の駆動電源として適した電圧に変換して供すると共に、前記第二の接続コネクタを介して携帯電話に充電用電源を供する電源制御手段とを具備することを特徴とする。
これによれば、充電と同時に携帯電話のメモリ内容のバックアップやデータ転送が行え、なおかつその他のデータの携帯電話への転送やデータの複製が可能であり、データの持ち運びが容易となる。
【０００８】
また、不揮発性メモリと、該不揮発性メモリに対し、データの読み出し及び書き込みを行う不揮発性メモリ制御手段とを具備し、前記データ処理手段は、前記不揮発性メモリ制御手段及び前記脱着式記憶媒体制御手段及び前記通信制御手段によって不揮発性メモリ及び脱着式記憶媒体及び携帯電話から読み出したデータを、不揮発性メモリ制御手段及び脱着式記憶媒体制御手段及び通信制御手段によって不揮発性メモリ及び脱着式記憶媒体及び携帯電話に書き込むことが可能であることを特徴とする。
これによれば、データを不揮発性メモリ内に保存しておくことができ、また、脱着式記憶媒体がないときでも携帯電話のバックアップが行え、携帯電話がないときでも脱着式記憶媒体の複製等が行える。
【０００９】
また、内部記憶装置を有し、前記データ処理手段は、前記脱着式記憶媒体制御手段及び前記通信制御手段によって脱着式記憶媒体及び携帯電話から読み出したデータを前記内部記憶装置にテンポラリデータとして一時保存した後、該テンポラリデータを脱着式記憶媒体制御手段及び通信制御手段によって脱着式記憶媒体及び携帯電話に書き込むことが可能であることを特徴とする。
また、前記データ処理手段は、前記不揮発性メモリ制御手段及び前記脱着式記憶媒体制御手段及び前記通信制御手段によって不揮発性メモリ及び脱着式記憶媒体及び携帯電話から読み出したデータを前記内部記憶装置にテンポラリデータとして一時保存した後、該テンポラリデータを不揮発性メモリ制御手段及び脱着式記憶媒体制御手段及び通信制御手段によって不揮発性メモリ及び脱着式記憶媒体及び携帯電話に書き込むことが可能であることを特徴とする。
また、前記データ処理手段は、前記通信制御手段を用いて前記テンポラリデータを携帯電話のディスプレイに表示させることが可能であることを特徴とする。また、ディスプレイと、該ディスプレイにデータを表示する表示手段とを有し、前記データ処理手段は、該表示手段を用いて前記テンポラリデータを前記ディスプレイに表示させることが可能であることを特徴とする。
また、前記通信制御手段は、携帯電話のキー入力によって入力されたキー入力情報を読み出すことが可能であり、前記データ処理手段は、該キー入力情報に基づいて前記テンポラリデータを編集することが可能であることを特徴とする。
また、文字情報または数値情報または編集情報を入力可能なキーボタンを有し、前記データ処理手段は、該キーボタンからの入力に基づいて前記テンポラリデータを編集することが可能であることを特徴とする。
これによれば、携帯電話・脱着式記憶媒体・不揮発性メモリのデータ内容を確認したり、データを改変して任意の媒体に記憶させることが可能となる。また、新規に自作したデータを任意の媒体に保存することも可能となる。
【００１０】
また、前記第一の接続コネクタは、充電アダプタの形状の異なる複数種類のコネクタに共通に接続可能な形状をなしていることを特徴とする。
また、前記第二の接続コネクタは、携帯電話の形状の異なる複数種類のコネクタに共通に接続可能な形状をなしていることを特徴とする。
また、前記電源制御手段は、複数の異なる入力電圧に対応可能であることを特徴とする。
また、前記電源制御手段は、充電用電圧の異なる複数の携帯電話に対し、それぞれに対応する電圧を出力することが可能であることを特徴とする。
これによれば、本データ転送装置一台で、コネクタ形状や充電電圧の異なる複数の充電アダプタや携帯電話に接続することが可能となる。
【００１１】
【発明の実施の形態】
以下、本発明に係るデータ転送装置の好適な実施の形態を添付図面に基づいて詳細に説明する。
図１は、本発明に係るデータ転送装置を携帯電話および携帯電話の充電アダプタに接続した場合の全体構成を示す説明図である。
２が本発明に係るデータ転送装置であり、４が充電アダプタとしての家庭用電源に接続するＡＣアダプタであり、６が携帯電話である。ＡＣアダプタ４は、ＡＣアダプタ４のオス型コネクタ部４ａとデータ転送装置２のメス型の第一の接続コネクタ１０とを接続することによってデータ転送装置２に接続される。携帯電話６は、携帯電話６のメス型コネクタ部６ａとデータ転送装置２のオス型の第二の接続コネクタ１２とを接続することによってデータ転送装置２に接続される。
【００１２】
充電アダプタとしてのＡＣアダプタ４および携帯電話６は、図１に示すようにデータ転送装置２の接続コネクタ１０、１２に直接接続するほか、図２に示すように仲介コネクタ８、９等を介して接続する方法もある。仲介コネクタ８はコード式に形成したもの、仲介コネクタ９はコネクタ形状変換型に形成したものである。このように仲介コネクタは各種のものを使用することができる。
【００１３】
また、充電アダプタとしては、前出のＡＣアダプタの他、車載用電源接続アダプタ、乾電池式アダプタなど、各種のアダプタを用いることができる。
【００１４】
図３は本データ転送装置の構成を示すブロック図である。
第一の接続コネクタ１０は、充電アダプタに接続され、携帯電話充電用の電力が供給される。入力された充電用の電力は、電源制御手段に供給される。電源制御手段は、その入力電圧を、本データ転送装置の内部回路に適した電圧と、第二の接続コネクタに接続された携帯電話の充電電圧とに変換する電気回路である。
【００１５】
第一の接続コネクタより入力された充電アダプタの入力電圧と、第二の接続コネクタに繋がれた携帯電話に供給する供給電圧が等しくない場合でも、電源制御手段によって適正な電圧に変換する手段を設けることにより、一つの充電アダプタで複数種の携帯電話を充電でき、便利となる。この場合の携帯電話の判別方法としては、本データ転送装置本体に電圧の切り替えスイッチを設けてユーザーが操作するか、通信制御手段によって携帯電話から携帯電話の機種ＩＤを引き出して自動的に電圧を切り替える方法等がある。
【００１６】
また、携帯電話および充電アダプタのコネクタ形状は、機種・メーカーによって異なる場合がある。しかし、市場に提供されている主な携帯電話のコネクタ形状の非共通部分を削ることによって、あらゆるコネクタに接続可能なコネクタ形状を得ることができる。その形状を示した図が、図４、図５である。図４の３０がメス側の共通コネクタの形状であり、本実施形態では第一の接続コネクタ１０がこの形状に形成される。図５の３２がオス側の共通コネクタの形状であり、本実施形態では第二の接続コネクタ１２がこの形状に形成される。
【００１７】
上記の様に、複数の入力電圧と第一の接続コネクタの形状、および、複数の携帯電話の充電電圧と第二の接続コネクタの形状に対応することで、本データ転送装置一台で複数機種の充電コネクタおよび携帯電話に接続できる。
【００１８】
次に、データ転送に関わる各構成要素について説明する。
通信制御手段は、電子回路および制御ソフトウェアによって構成され、各携帯電話に定められた所定の通信プロトコルを用いて所定のコマンドを送信し、携帯電話に対しデータの書き込みや読み出しを指示し、データの通信を行う。また、必要に応じて、携帯電話のキー入力情報を読み出したり、携帯電話のディスプレイにデータを表示させるといったコマンドを携帯電話に送信する機能を通信制御手段に持たせる。
【００１９】
脱着式記憶媒体制御手段は、電子回路および制御ソフトウェアによって構成され、脱着式記憶媒体スロットに装着された脱着式記憶媒体に対しデータの読み出しおよび書き込みを行うものである。
脱着式記憶媒体スロットとしては、フラッシュメモリ型のメモリカードスロットやメモリスティックスロットを設ける。これにより、メモリカード、メモリスティックといった、小型で安価な脱着式記憶媒体を利用できる。また、カード型のハードディスクスロットを設ければ、小型で大容量な脱着式記憶媒体を利用できる。この様に小型の脱着式記憶媒体に対応したスロットを設けることで、携帯電話のデータの持ち運び等に便利となる。
【００２０】
不揮発性メモリ制御手段は、電子回路および制御ソフトウェアによって構成され、不揮発性メモリに対しデータの読み出しおよび書き込みを行うものである。
不揮発性メモリとしては、例えばフラッシュメモリを用いると良い。
【００２１】
データ転送の制御はデータ処理手段によって行われる。データ処理手段は、電子回路およびソフトウェアによって構成され、通信制御手段・脱着式記憶媒体制御手段・不揮発性メモリ制御手段を用いて、携帯電話のメモリ・脱着式記憶媒体・不揮発性メモリのうちの任意のメモリ間でのデータ転送を、ユーザーからの指示により行うことができる。
ユーザーからの指示は、本データ転送装置上に設けられたキーボタンを用いたり、携帯電話のキー入力を、通信制御手段によって読み出すことによって認識することが可能である。
【００２２】
データ転送は、読み出したデータを直接他のメモリに書き込む方法や、読み出したデータをＲＡＭ等の本データ転送装置内の内部記憶装置上にテンポラリデータとして一時蓄えた後、このテンポラリデータの内容を他のメモリに書き込む方法などがある。
読み出したデータを直接他のメモリに書き込む方法を採ると、データ転送を高速に行えるという利点がある。
また、読み出したデータを一旦テンポラリデータとして保存する方法を採ると、一般にデータ転送時間は遅くなるが、ユーザーがデータの確認をしたり、データの編集加工が行えるといった利点がある。
【００２３】
本データ転送装置に、以下の様なテンポラリデータの編集機能を設けると、携帯電話に登録されたデータを確認したり、変更したり、新規データを追加することが可能となる。
データ編集機能は、データ処理手段に、テンポラリデータの表示と、テンポラリデータへのデータ入力の機能を持たせることによって実現可能である。
テンポラリデータを表示する機能は、前述したように、通信制御手段に、携帯電話のディスプレイにデータを表示させるコマンドを携帯電話に送信する機能を持たせることで実現する。あるいは、本データ転送装置本体に、ディスプレイを装備し、そこにデータを表示する表示手段を具備させることで実現する。ディスプレイは、本体の小型化のために小型の液晶ディスプレイを用いるとよい。データ処理手段は、この通信制御手段または表示手段を用いてテンポラリデータを携帯電話のディスプレイまたは本体搭載のディスプレイに表示させる。
また、データ入力の機能は、前述したように、通信制御手段に、携帯電話のキー入力情報を読み出すコマンドを携帯電話に送信する機能を持たせることで実現する。あるいは、本データ転送装置本体に、文字情報・数値情報・編集情報を入力可能なキーボタンを装備することで実現する。データ処理手段は、この通信制御手段または前記キーボタンより取得した入力情報に基づいてテンポラリデータを編集加工する。
【００２４】
次に、当実施形態のユーザーインターフェースおよび操作の例について説明する。
まず、図１の様に、本データ転送装置の第一の接続コネクタを、携帯電話の充電アダプタとしてのＡＣアダプタに接続する。続いてＡＣアダプタを家庭用ＡＣ電源コンセントに接続する。ここまでは、データ転送の度に行う必要はなく、一度行ったらこの状態にしておいてよい。
【００２５】
続いて、本データ転送装置の第二の接続コネクタに、携帯電話を接続する。すると、携帯電話のディスプレイまたは本データ転送装置に設けられたディスプレイに選択メニューが表示される。この選択メニューは、携帯電話のメモリ・脱着式記憶媒体・不揮発性メモリの間のデータ転送の他、前記メモリから本データ転送装置のＲＡＭ上のテンポラリデータ領域にデータをロードしたり、テンポラリデータを前記メモリに書き込んだり、テンポラリデータを編集するなどの操作の選択が可能となっている。
【００２６】
ユーザーが前記メニューにより、携帯電話のメモリ・脱着式記憶媒体・不揮発性メモリ間のデータ転送を選択した場合は、データ処理手段によって指定されたメモリ間でデータ転送が行われる。
【００２７】
ユーザーが前記メニューにより、携帯電話のメモリ・脱着式記憶媒体・不揮発性メモリからの前記テンポラリデータ領域へのデータのロードを選択した場合には、データ処理手段によって、ロードが行われる。
ユーザーが前記メニューによりテンポラリデータの編集を選択した場合には、本データ転送装置は、携帯電話または本データ転送装置上のディスプレイにテンポラリデータの内容を表示させ、携帯電話または本データ転送装置上のキーボタンによる入力情報に従ってそのテンポラリデータを書き換える編集モードに移行する。
編集モードでは、前記メモリからロードしたデータのほか、新規に作成したデータの編集も行うことができる。
この様にしてロード及び編集されたテンポラリデータは、同様に前記メニューでメモリへの書き込みを選択することで、携帯電話のメモリ・脱着式記憶媒体・不揮発性メモリへデータ処理手段によって書き込まれる。
【００２８】
携帯電話に保存された電話帳情報やウェブへのブックマーク情報等をバックアップする機能を、前記メニューを経ずに特に手軽な操作で実行できるようにするには、携帯電話内のデータを脱着式記憶媒体や不揮発性メモリに保存する動作をワンタッチで選択できる読み込みキーボタンおよび書き込みキーボタンを本データ転送装置本体上に設けると良い。
【００２９】
なお、携帯電話のメモリに記憶されたデータを他人によって消去されたり、誤って上書きされたりすることを防ぐため、携帯電話にデータを書き込む際には暗証番号を入力させ、その暗証番号が一致したときのみ携帯電話のメモリ内容を書き換え可能に構成すると良い。
また、携帯電話のメモリに記憶された情報を他人に読まれることを防ぐため、携帯電話からデータを読み出す際にも暗証番号の入力をさせるよう構成してもよい。
【００３０】
以上の様に構成された携帯電話の充電アダプタ接続用データ転送装置によれば、携帯電話のメモリのバックアップを始め、携帯電話のメモリ・脱着式記憶媒体・不揮発性メモリ間で自由にデータをやり取りできる。また、それらのデータを編集して任意のメモリに保存したり、新規にデータを作成することもできる。
【００３１】
また、その他にも以下の様な様々な効果を有する。
まず、携帯電話のデータのバックアップ作業が容易である。携帯電話を本データ転送装置に接続して、キーボタンを押すだけで携帯電話のメモリに保存された電話帳情報やウェブのブックマーク情報等のバックアップが行える。
従来のパソコンやＰＤＡを用いる方法では、パソコンを立ち上げたり、データ転送用のソフトウェアを操作する時間が掛かる上、携帯電話の消費電力が大きいため、充電器にも接続しなければならなかった。
【００３２】
また、パソコンやＰＤＡに比較し、構成要素が少ないため、機器の大きさを小型になおかつ安価に設計することが可能である。
【００３３】
また、データの書き込み先を脱着式の記憶媒体にすることで、データの複製・持ち運び等が容易となる。
この性質を利用し、例えば、脱着式記憶媒体によるデータの配布といった用法も考えられる。現在、携帯電話に接続する外部接続装置で、それを携帯電話に装着すると、外部接続装置に登録されたホームページに簡単にアクセスできる外部接続装置が配布・販売され、企業の広告ウェブページへの誘導やホームページを用いた市場調査等に用いられている。しかし、装置に登録された企業のホームページに興味の薄い携帯電話ユーザーは、その装置を携帯電話に接続する動機付けに乏しい。そこで、本データ転送装置に接続できる脱着式記憶媒体に企業のホームページへのブックマーク等を記憶して配布すれば、ユーザーにとっては無料でバックアップ用の記憶媒体を入手でき、企業にとっては、それを使用してもらうことで多数のユーザーの携帯電話にブックマークを登録することが狙えるため、両者にとってメリットがある。
【００３４】
【発明の効果】
本発明に係る携帯電話の充電アダプタ接続用データ転送装置によれば、携帯電話のバッテリー容量を気にすることなく、充電と同時に携帯電話のメモリ内容のバックアップやデータ転送が簡単な操作で行え、なおかつその他のデータの携帯電話への転送やデータの複製が可能であり、データの持ち運びが容易で、それらが小型で安価な装置で実現できるという効果を有する。
【図面の簡単な説明】
【図１】本発明に係る携帯電話の充電アダプタ接続用データ転送装置を携帯電話および携帯電話の充電アダプタに接続した状態を示す説明図である。
【図２】本発明に係る携帯電話の充電アダプタ接続用データ転送装置を仲介コネクタを介して携帯電話および携帯電話の充電アダプタに接続した状態を示す説明図である。
【図３】本発明に係る携帯電話の充電アダプタ接続用データ転送装置の構成を示すブロック図である。
【図４】主な携帯電話の充電アダプタのコネクタに共通に接続できるメス型の第一の接続コネクタの形状を示す斜視図である。
【図５】主な携帯電話のコネクタに共通に接続できるオス型の第二の接続コネクタの形状を示す斜視図である。
【符号の説明】
２  携帯電話の充電アダプタ接続用データ転送装置
４  ＡＣアダプタ
６  携帯電話
８、９  仲介コネクタ
１０  第一の接続コネクタ
１２  第二の接続コネクタ
【図１】
2005057311.tif 000003
【図２】
2005057311.tif 000004
【図３】
2005057311.tif 000005
【図４】
2005057311.tif 000006
【図５】
2005057311.tif 000007